(57)【要約】【課題】本発明は、航空障害灯の機能を有するように建造物をライトアップするように照明装置を制御し、ライトアップ終了後は前記照明装置を航空障害灯の機能を有するように制御できる照明制御システムを提供することを目的とする。【課題手段】請求項１に記載の発明は、建造物１の一部を構成する光制御手段１ａが設置され、この光制御手段を利用して建造物をライトアップする照明装置２と；ライトアップ時には、航空障害灯の機能を有するように建造物をライトアップするように照明装置を制御し、ライトアップ終了後は前記照明装置を航空障害灯の機能を有するように制御する照明制御装置３と；を具備していることを特徴とする。【選択図】図１
2005100666.tif 000002
【特許請求の範囲】
【請求項１】
建造物の一部を構成する光制御手段が設置され、この光制御手段を利用して建造物をライトアップする照明装置と；
ライトアップ時には、航空障害灯の機能を有するように建造物をライトアップするように照明装置を制御し、ライトアップ終了後は前記照明装置を航空障害灯の機能を有するように制御する照明制御装置と；
を具備していることを特徴とする照明制御システム。
【請求項２】
光制御手段を有し建造物をライトアップする照明装置と；
ライトアップ時には、航空障害灯の機能を有するように建造物をライトアップするように照明装置を制御する照明制御装置と；
建造物に設置された航空障害灯と；
航空障害灯を制御する航空障害灯制御装置と；
前記照明制御装置と航空障害灯制御装置の動作状態を監視し、前記照明装置が航空障害灯の機能を有するように建造物をライトアップできなくなった場合には、前記航空障害灯を点灯制御するように動作する監視制御装置と；
を具備していることを特徴とする照明制御システム。
【発明の詳細な説明】
【技術分野】
【０００１】
本発明は、建造物のライトアップに使用される照明装置等を制御する照明制御システムに関する。
【背景技術】
【０００２】
従来、航空法では、航行の障害となる建造物の存在を航空機に明示するために、地表または水面から所定の高さの建造物には、航空障害灯を設置することが義務付けられている。例えば、６０ｍ以上９０ｍ未満の高さのビルの場合には低高度用の航空障害灯を設置して連続点灯させ、９０ｍ以上の高さのビルの場合には中高度用の航空障害灯を設置して明滅点灯させ、ビルを除く１５０ｍ以上の高さの建造物の場合には高高度用の航空障害灯を設置して閃光発光させている。
【０００３】
そして、航空障害灯毎や所定エリア内の複数の航空障害灯毎に個別の航空障害灯制御盤を用い、各制御盤の独立した制御により、航空障害灯へ電源を供給する接点を開閉し、航空障害灯を点灯、消灯、または点滅させている。また、航空障害灯とは別に、ビルの室内照明および外観照明用の照明装置を制御する照明制御盤をビル内に設置されている。
【０００４】
さらにまた、上記航空障害灯制御盤と一般照明制御盤とを一体にした監視制御装置を設置する提案もある。図３は、照明制御システムの構成図である。この照明制御システム61は、ビル11内の各フロアの天井などに設置される照明器具などの照明装置62とビル11の外壁に設置される航空障害灯12とを一括して制御するものである。（例えば、特許文献１参照）。
【０００５】
この照明制御システム61は、ビル11に配線される信号伝送用の信号線22を有し、この信号線22に、各航空障害灯12を制御する複数の航空障害灯制御端末器23、各照明装置62を制御する複数の照明制御端末器63、照明装置62を手動で点灯消灯させる壁スイッチ64などの複数の監視端末器65、およびシステム全体を制御する監視制御装置24がそれぞれ接続されて構成されている。
【０００６】
照明装置62は、ビル11の各階フロアの天井などに複数設置され、ランプを有している。所定のエリア毎の複数の照明装置62が照明制御端末器63に接続され、各照明制御端末器63により複数の照明装置62の点灯、消灯および調光などの点灯状態が制御される。各照明制御端末器63は固有のアドレスを有している。
【０００７】
また、監視制御装置24は、信号線22を通じて各航空障害灯制御端末器23、各照明制御端末器63および監視端末器65と通信し、これら各航空障害灯制御端末器23、照明制御端末器63および監視端末器65を集中的に監視制御する機能を有している。そして、監視制御装置24は、就業時間帯や、外光照度や、各フロアの利用状況などに対応して、照明装置62の点灯、消灯および調光などの点灯状態の制御信号を信号線22を通じて各照明制御端末器63に出力する。各照明制御端末器63では、監視制御装置24から対応するアドレスの制御信号を入力し、照明装置62を点灯、消灯、調光させる。
【０００８】
このように、監視制御装置24が信号線22に接続された航空障害灯制御端末器23および照明制御端末器63と通信し、航空障害灯12および照明装置62を集中的に監視制御できるとともに、監視制御装置24の液晶表示部57で航空障害灯制御端末器23および照明制御端末器63からの情報を表示できるので、航空障害灯12を制御する専用の制御盤が必要なく、航空障害灯12および照明装置62を一括して容易に管理できるものである。
【特許文献１】特開２００２−２６０４０３号公報（第５〜６頁、図８）。
【発明の開示】
【発明が解決しようとする課題】
【０００９】
しかしながら、監視制御装置24は、信号線22を通じて各航空障害灯制御端末器23、各照明制御端末器63および監視端末器65と通信し、これら各航空障害灯制御端末器23、照明制御端末器63および監視端末器65を集中的に監視制御する機能を有しているため、設備設置のためのスペース、通信するためのインターフェースの技術開発またはコスト等の課題が生ずる。また、近年ビルの外観をライトアップすることが行なわれており、ビルの外部には航空障害灯とライトアップ用の照明装置がそれぞれ設置されることなる。
【００１０】
本発明は、航空障害灯の機能を有するように建造物をライトアップするように照明装置を制御し、ライトアップ終了後は前記照明装置を航空障害灯の機能を有するように制御できる照明制御システムを提供することを目的とする。
【課題を解決するための手段】
【００１１】
請求項１に記載の発明は、建造物の一部を構成する光制御手段が設置され、この光制御手段を利用して建造物をライトアップする照明装置と；ライトアップ時には、航空障害灯の機能を有するように建造物をライトアップするように照明装置を制御し、ライトアップ終了後は前記照明装置を航空障害灯の機能を有するように制御する照明制御装置と；を具備していることを特徴とする。
【００１２】
請求項２に記載の発明は、光制御手段を有し建造物をライトアップする照明装置と；ライトアップ時には、航空障害灯の機能を有するように建造物をライトアップするように照明装置を制御する照明制御装置と；建造物に設置された航空障害灯と；航空障害灯を制御する航空障害灯制御装置と；前記照明制御装置と航空障害灯制御装置の動作状態を監視し、前記照明装置が航空障害灯の機能を有するように建造物をライトアップできなくなった場合には、前記航空障害灯を点灯制御するように動作する監視制御装置と；を具備していることを特徴とする。
【発明の効果】
【００１３】
請求項１の照明制御システムでは、照明装置が建造物の一部を構成する光制御手段が設置され、この光制御手段を利用して建造物をライトアップため、ライトアップ時には、航空障害灯の機能を有するように建造物をライトアップすることができる。また、ライトアップ終了後は前記照明装置を航空障害灯の機能を有するように制御するので、照明装置を航空障害灯の代わりに使用することができるようになる。
【００１４】
請求項２に照明制御システムでは、照明制御装置は、光制御手段有する照明装置により建造物をライトアップするため、ライトアップ時には、航空障害灯の機能を有するように建造物をライトアップするように照明装置を制御できる。また、建造物に設置された航空障害灯を制御する航空障害灯制御装置を有しており、照明制御装置と航空障害灯制御装置の動作状態を監視し、前記照明装置が航空障害灯の機能を有するように建造物をライトアップできなくなった場合、例えば、照明装置の不点または光度低下があった場合には、航空障害灯を点灯制御するように動作することができる。
【発明を実施するための最良の形態】
【００１５】
以下、本発明の一実施の形態を示す照明制御システムについて、図面を参照して説明する。図１は、本発明の第１の実施形態を示す照明制御システムの模式図である。第１の実施形態において、照明制御システムは、建造物である例えばビル１、鉄塔、煙突等の壁面または上部に設置される照明装置２と、この照明装置２の照明状態を制御する照明制御装置３を有する。まず、ビル１には、外壁の一部を構成する光制御手段１ａである例えば光反射板１ａが設置され、この反射板１ａに対向するようにビル１をライトアップする照明装置２が設置されている。そして、照明制御装置３は、ライトアップ時には、航空障害灯の機能を有するようにビル１をライトアップするように照明装置２を制御する。そして、ライトアップ終了後は照明装置２を航空障害灯の機能を有するように制御している。
【００１６】
したがって、照明装置２はビル１の光反射体１ａを利用してビル１をライトアップするため、光度が比較的高く、ライトアップ時には、航空障害灯の機能を有するようにビル１をライトアップすることができる。また、ライトアップ終了後は照明装置２を航空障害灯の機能を有するように制御するので、照明装置２を航空障害灯の代わりに使用することができるようになる。
【００１７】
次に、図２は、本発明の第２の実施形態を示す照明制御システムの模式図である。第２の実施形態において、照明制御システムは、建造物１である例えばビル１をライトアップする照明装置２、照明装置２を制御する照明制御装置３、ビル１の壁面または屋上等に設置された航空障害灯４、航空障害灯制御装置５、および監視制御装置６で構成されている。
【００１８】
照明装置２は、ライトアップするとともに航空障害灯４の機能を有することから光制御手段（図２において図示しない。）である光反射板またはレンズ等を有し、ビル１をライトアップする。照明制御装置３は、ライトアップ時には、航空障害灯４の機能を有するようにビル１をライトアップするように照明装置２を制御する。また、航空障害灯４は、ビル１の壁面または屋上等に設置されている。また、航空障害灯制御装置５は、航空障害灯４の点滅状態を制御するものである。監視制御装置６は、照明制御装置３と航空障害灯制御装置５の動作状態を監視し、照明装置２が航空障害灯４の機能を有するようにビル１をライトアップできなくなった場合には、航空障害灯４を点灯制御するように動作する。  したがって、照明制御装置３は、光反射板を有する照明装置２によりビル１を比較的高い光度によりライトアップするため、ライトアップ時には、航空障害灯４の機能を有するようにビル１をライトアップするように照明装置２を制御できる。また、ビル１に設置された航空障害灯４を制御する航空障害灯制御装置５を有しており、監視制御装置６は、照明制御装置３と航空障害灯制御装置５の動作状態を監視し、照明装置２が航空障害灯４の機能を有するようにビル１をライトアップできなくなった場合、例えば、照明装置２の不点または光度低下があった場合には、航空障害灯４を点灯制御するように動作することができる。
【図面の簡単な説明】
【００１９】
【図１】本発明の第１の実施形態を示す照明制御システムの模式図。
【図２】本発明の第２の実施形態を示す照明制御システムの模式図。
【図３】従来の照明制御システムを示すブロック図。
【符号の説明】
【００２０】
１…ビル、１ａ…光制御手段、２…照明装置、３…照明制御装置、４…航空障害灯、５…航空障害灯制御装置、６…監視制御装置照明装置。
【図１】
2005100666.tif 000003
【図２】
2005100666.tif 000004
【図３】
2005100666.tif 000005